(57)【特許請求の範囲】
【請求項１】
グロープラグ本体とその中に配置された加熱ロッド（９）とを備え、該加熱ロッドはグロー管（３）を備え、該グロー管の中には、加熱要素（１）が絶縁材料（８）中に埋設されて配置され、前記加熱要素（１）は、端子側の端部で、内部極（２）及びその引込部（５）と接続し、燃焼室側の端部で、前記加熱ロッドの先端に接続しており、前記グロー管（３）にはコンタクトチューブ（６）が配置され、前記コンタクトチューブ（６）は、その端子側の端部がグロープラグ本体の端子側の端部領域まで又は該領域を越えるまで延在するような長さを備えるように設定され、該コンタクトチューブ（６）は、直接接触による接地接触を形成するように構成され、該コンタクトチューブ（６）と前記内部極の引込部（５）との間の中空空間が絶縁材料（８）で充填されてなる鎧装グロープラグの製造方法において、前記コンタクトチューブ（６）を前記加熱ロッド（９）の前記グロー管（３）上に嵌め込み、スエージング法によって絞ることにより前記コンタクトチューブ（６）、前記グロー管（３）及び前記絶縁材料（８）をひずみ硬化させて、分離不能な接続を形成することを特徴とする鎧装グロープラグの製造方法。
【発明の詳細な説明】
【０００１】
【発明の属する技術分野】
本発明は、グロープラグ本体とその中に配置された加熱ロッドとを備え、加熱要素と所望により該加熱要素に組み合わされた制御要素とが前記加熱ロッド内に絶縁材料で埋設されて配置され、前記加熱要素の端子側の端部は内部極またはその内部極の引込部を介して電源に接続可能にされ、前記加熱要素の燃焼室側の端部は前記加熱ロッドの先端に接続されている鎧装グロープラグ、およびその製造方法に関する。
【０００２】
【従来の技術】
多極グロープラグ、特に、加熱ロッドの表面を介してイオン電流測定を行なうことができるものにおいては、加熱ロッドはグロープラグ本体から絶縁されるように配置する必要がある。ここにおいて、一方が他方と同軸に配置されている２つの別個の部品からなるグロープラグ本体の構成は公知である。これらの部品は、例えば、溶融法によって作製されたガラスシールを介して互いに電気的に絶縁されるように固定される。この構成では、内側部分が加熱ロッドの外側電極として使用される。
【０００３】
しかしながら、技術的な観点からは、グロープラグが小さくなると、この構成を採ることが殆ど困難になり、通常の製造方法および製造装置を用いた製造工程を採用できなくなる。
【０００４】
【発明が解決しようとする課題】
本発明の目的は、従来技術において知られている上記欠点を回避することにより、それ自体公知の通常の鎧装グロープラグ製造装置によって製造可能な、汎用の鎧装グロープラグを提供し製造することにあり、さらには、同軸コネクタの手段などを用いた安全な接続の構成のみならず小型のグロープラグを提供すると同時に、グロープラグの接触接続の機械的安定性を良好にすることにある。
【０００５】
【課題を解決するための手段】
本発明の目的は、グロープラグ本体とその中に配置された加熱ロッドとを備え、加熱要素と所望により該加熱要素に組み合わされた制御要素とが前記加熱ロッド内に絶縁材料で埋設されて配置され、前記加熱要素の端子側の端部は内部極またはその内部極の引込部を介して電源に接続可能にされ、前記加熱要素の燃焼室側の端部は前記加熱ロッドの先端に接続されている鎧装グロープラグにおいて、前記加熱ロッド（９）の端子側の端部領域に嵌め込まれて前記加熱ロッド（９）を端子側に延長させるコンタクトチューブ（６）を備え、該コンタクトチューブ（６）と前記内部極（２）または前記内部極の引込部（５）との間の中空空間を絶縁材料（８）で充填し、前記グロープラグ本体（１２）を前記加熱ロッド（９）又は前記コンタクトチューブ（６）の周囲にこれらから絶縁させて配置してなることを特徴とする鎧装グロープラグによって達成される。。
【０００６】
このグロープラグにおいて、前記コンタクトチューブ（６）は、前記グロープラグの端子側の端部まで延在して、好ましくは同軸コネクタまたはコネクタスリーブの手段によって、直接接触を形成するように構成されてもよい。
【０００７】
さらに、本発明の目的は、グロープラグ本体とその中に配置された加熱ロッドとを備え、加熱要素と所望により該加熱要素に組み合わされた制御要素とが前記加熱ロッド内に絶縁材料で埋設されて配置され、前記加熱要素の端子側の端部は内部極またはその内部極の引込部を介して電源に接続可能にされ、前記加熱要素の燃焼室側の端部は前記加熱ロッドの先端に接続されている鎧装グロープラグの製造方法において、前記加熱ロッド（９）のグロー管（３）にコンタクトチューブ（６）を嵌め込み、該コンタクトチューブ（６）と前記内部極（２）または前記内部極の引込部（５）との間の中空空間を絶縁材料（８）、好ましくはＭｇＯで充填し、前記コンタクトチューブ（６）をそれ自体公知の鍛造法によってひずみ硬化させて前記コンタクトチューブ（６）と前記グロー管（３）とを分離不能に接続し、前記コンタクトチューブ（６）の長さを、その端子側の端部がグロープラグ本体（１２）の端子側の端部領域まで又は該領域を越えるまで延在するように設定し、好ましくは同軸コネクタの手段によって、直接接触による接地接触を形成するように構成することを特徴とする鎧装グロープラグの製造方法によって達成される。
【０００８】
【発明の実施の形態】
本発明を添付図面に基づいてさらに詳しく説明する。
本発明の加熱ロッド９はグロー管３を備えてなり、このグロー管３の内部には、加熱要素１、好ましくは加熱コイル状のものが配置され、これは、必要に応じて制御コイルと連接されて、絶縁材料中に埋設されてグロー管３の壁から絶縁されている。このコイル１の燃焼室側の端部は、接点を形成するようにグロー管３の先端に接続されている。このコイル１の端子側の端部は内部極２に接続され、該内部極２は極の引込部５を経由して加熱ロッドから突出している。
【０００９】
通常、グロー管３の長さは鎧装グロープラグの全長の約１／３から半分しかない。
【００１０】
グロー管３の端子側の端部領域は、内部極の引込部５の燃焼室側の端部領域にて絶縁された状態で、この内部極の引込部５に支持されている。これは、本件の場合、両者の間にＯ−リング４を配置することで達成されている。
【００１１】
コンタクトチューブ６は、グロー管３の端子側の端部領域の周りに嵌め込まれるか、または、グロー管３内に挿入され、さらに、該コンタクトチューブ６を該グロー管３上で絞ることなどによって該グロー管３の前記端部領域と接点を確立するように堅固に接続される。コンタクトチューブ６はグロープラグ本体の端部まで、または、該グロープラグ本体の外側まで延在し、その端部にて該コンタクトチューブ６は絶縁Ｏ−リング７などを用いて極の引込部５から絶縁され、同時に、該Ｏ−リング７はコンタクトチューブ６と該内部極の引込部５との間の中空空間を密閉する。該中空空間は、酸化マグネシウム粉などの絶縁材料８で充填される。
【００１２】
コンタクトチューブ６とグロー管３とを結合させるようにしたので、これらの部品として様々な壁厚や材質のものを使用できるようになる。例えば、インコネル（Ｉｎｃｏｎｅｌ）６０１又は６０２５ＨＴのような材料を用いることで、例えば、壁厚が約１ｍｍのグロー管を使用でき、この場合、コンタクトチューブの壁は厚さ０．５ｍｍとすることができ、また、グロー管の材料よりも高温耐性の低い材料で構成することも可能である。
【００１３】
図１の細長の加熱ロッドは図２のグロープラグの構造の一部を形成する。
グロープラグ本体１２は、加熱ロッドから絶縁して配置されている。燃焼室側の領域には、セラミック材料、ガラスまたは耐高温性プラスチックなどで作製された絶縁部１１．３を備え、端子側の領域では、該本体は絶縁シール１４および絶縁ディスク１５上に配置されコンタクトチューブから絶縁されている。
【００１４】
本体１２の端子側の端部領域から突出したコンタクトチューブ６の領域にはコネクタスリーブ１６が配置されている。該コネクタスリーブは接地接続を提供し、好ましくは同軸コネクタへ接続可能なように設計される。極の引込部または内部極は、該コネクタに対向する端部にて、プラス接続される。
【００１５】
グロー管の燃焼室側の領域の一部には絶縁層１９が形成され、グロープラグの先端部にはイオン電流測定用の一定区画の非被覆領域が残される。
【００１６】
本発明のグロープラグは、それ自体公知の装置によって経済的に連続生産することができる。組立は非常に簡単であり、同時に、非常に精密な同心公差を維持できる。
【００１７】
好ましい製造法において、コンタクトチューブ６は加熱ロッド９のグロー管３上に配置され、コンタクトチューブ６と内部極２または内部極引込部５との間の中空空間はＭｇＯなどの絶縁材料８で充填され、Ｏ−リングによって閉鎖される。それ自体公知の方法である鍛造装置によるスエージング法により、ＭｇＯ８、コンタクトチューブ６よびグロー管３は分離不能な接続がもたらされる程度にひずみ硬化される。
【００１８】
【発明の効果】
本発明のグロープラグの構成によれば、電気的および機械的に安定なコネクタとの接触が達成され、同時に、加熱ロッドおよびプラグ本体の直径を最小限に維持し、かくして、グロープラグ全体の直径を最小限に維持することが可能となる。
【図面の簡単な説明】
【図１】本発明の加熱ロッドの長手方向部分断面図である。
【図２】本発明の好ましいグロープラブの長手方向部分断面図である。
【符号の説明】
１  加熱要素
２  内部極
３  グロー管
４  Ｏ−リング
５  内部極引込部
６  コンタクトチューブ
７  Ｏ−リング
８  絶縁材料
９  加熱ロッド
１１．３  絶縁部
１２  グロープラグ本体
１４  絶縁シール
１５  絶縁ディスク
１６  コネクタスリーブ
１９  絶縁層
【図１】
0004204265.tif 000002
【図２】
0004204265.tif 000003